(57)【要約】      （修正有）【課題】簡易に潅木や竹材を装着できる伐採材垣の構造を提供する。【解決手段】下面に長さに沿ってガイド突条５を設け、両端に取付板７を備えてある上枠３と、この上枠３に対向して配置され、両端に取付板を備え、上面にガイド部８を長さ方向に沿って直線に形成した下枠６とからなり、これら上枠３と下枠６との両端に支柱を配置し、上端にガイド突条５および下端にガイド部８のそれぞれに嵌合する溝を穿ってある潅木、竹の伐採材を上枠３のガイド突条５と下枠６のガイド部８との間に挿入して固着してなる構成である。【選択図】図１
0003108519.tif 000002
【実用新案登録請求の範囲】
【請求項１】
下面に長さに沿ってガイド突条を設け、両端に取付板を備えてある上枠と、この上枠に対向して配置され、両端に取付板を備え、上面にガイド部を長さ方向に沿って直線に形成した下枠とからなり、これら上枠と下枠との両端に支柱を配置し、上端に前記ガイド突条および下端にガイド部のそれぞれに嵌合する溝を穿ってある潅木、竹の伐採材を前記上枠のガイド突条と前記下枠のガイド部との間に挿入し、前記上枠及び前記下枠の各取付板を基礎台の両側端に固定した支柱に固着してなることを特徴とする伐採材垣の構造。
【請求項２】
前記下枠の上面に形成したガイド部の下側に弾力性部材が配置してあることを特徴とする請求項１に記載の伐採材垣の構造。
【請求項３】
前記上枠の取付板又は前記下枠の取付板に固着用の長孔を穿ってあることを特徴とする請求項１に記載の伐採材垣の構造。
【考案の詳細な説明】
【技術分野】
【０００１】
本考案は、自然の竹材や潅木を伐採した伐採材を利用し、庭の周囲や隣家との境に形成する垣根の伐採材垣の構造に関する。特に、潅木、竹薮の自然材を有効に利用し簡易に形成することができる伐採材垣の構造に関する。
【背景技術】
【０００２】
従来の垣根として植えた樹木を配列したものや木材を加工して形成したもの、または石材、ブロック塀等によるものが多く利用されている。しかし、自然の樹木は毎年の手入れが大変であり、伐採に費用がかかっていた。木材を加工したものは見栄えもあまりよいものではなかった。また、石材は外観が冷たい感じを与え、外観としては好ましいものではなかった。
【０００３】
このように古くから利用されている垣根は施工が面倒であったり、垣根として利用した後の伐採の手入れも必要であった。昨今では、金属枠や合成樹脂枠などを利用しこれらの組み合わせた垣根なども使用されている。
自然の竹材を利用したものとして実開昭５７−９７０９５号公報（特許文献１）、実用新案登録第２５０６２９８号公報（特許文献２）、特開平１１−１０７５８５号公報（特許文献３）などが知られている。
【０００４】
【特許文献１】実開昭５７−９７０９５号公報図３
【特許文献２】実用新案登録第２５０６２９８号公報
【特許文献３】特開平１１−１０７５８５号公報図４
【０００５】
特許文献１は竹材を縦に隣接して配列し、これらの上、下端に竹材の端部を嵌合する溝部材を配置し、この溝部材の外側に飾枠を嵌装したものであり、細い竹材を隣接して亜費致死、この中間部分にも飾板を配置して補強したもので、予め縦型に配列し、結束したものを支柱間に配列したものである。この場合、竹材の細いものをすだれ状に利用するもので、竹材を配列して紐などで横に結束したものである。
特許文献２は竹材の不揃い欠点を解消するものとして人工竹（合成樹脂製）を使用して、長さや太いさが均一に形成でき、竹材を横方向に配列し、縦支柱に結束したもので、自然の竹材を利用するものではなく、竹材のリサイクルには利用できないものである。
特許文献３は土中に下端部分を埋設した金属支柱に断面コ字状の支持部材を側面に配置し、この支持部材の開口部を対向させて支柱を所定間隔で配置し、この支持部材の開口部に沿って竹を横にして挿入するようにしたものである。この支柱部材の上端に横桟部材を配設したものである。このように竹を横にして配列したもので亜ｈ竹の自然状態の立体感が出なかった。
【考案の開示】
【考案が解決しようとする課題】
【０００６】
従来の横に竹材を配列した竹垣では長い竹材を集めねばならず、一定の太さの竹材を集めるのが困難であった。特に横に配列して多段に並べた場合はある一定の長さを必要とした。
本考案は、自然界に存在する竹材の有効利用を図り、長さや太さに関係なく利用できる竹材の垣根を提供することである。
本考案の課題は、簡易に潅木や竹材を装着できる伐採材垣の構造を提供することである。
本考案の他の課題は、２〜４年置きに伐採された竹材などの伐採材簡易に交換ができる伐採材垣の構造を提供することである。
【課題を解決するための手段】
【０００７】
本考案の前記課題は、次のような構成によって達成することができる。
下面に長さに沿ってガイド突条を設け、両端に取付板を備えてある上枠と、この上枠に対向して配置され、両端に取付板を備え、上面にガイド部を長さ方向に沿って直線に形成した下枠とからなり、これら上枠と下枠との両端に支柱を配置し、上端に前記ガイド突条および下端にガイド部のそれぞれに嵌合する溝を穿ってある潅木、竹の伐採材を前記上枠のガイド突条と前記下枠のガイド部との間に挿入し、前記上枠及び前記下枠の各取付板を基礎台の両側端に固定した支柱に固着してなる伐採材垣の構造である。
【０００８】
本考案の前記課題は、前記下枠の上面に形成したガイド部の下側に弾力性部材が配置してある構成、及び前記上枠の取付板又は前記下枠の取付板に固着用の長孔を穿ってある構成によって前記課題は達成できる。
【考案の効果】
【０００９】
本考案の伐採材垣の構造は、自然の潅木や竹材などを所定の長さに裁断し（特に、節のある部分の上側を切断する。）、簡易な構造の上枠と下枠とのそれぞれのガイドに沿って伐採材を嵌挿して縦位置に配列して形成してあるから構築が簡易にできる。しかも自然の状態の伐採材をそのまま使用できるから伐採材の加工が必要でない。特に、外観も自然の青竹を利用するだけで充分であり、竹薮の竹を利用できるから２〜４年毎に竹薮の手入れができる。廃材を利用してリサイクルできる。
【考案を実施するための最良の形態】
【００１０】
本考案の伐採材垣の構造について図面に示す実施の形態に基づいて説明する。
図１は本考案伐採材垣の構造の一部支柱を取り外した状態を示す正面図である。図２は本考案の伐採材垣の構造に使用する上枠の斜視図である。図３は本考案の伐採材垣の構造に使用する下枠の斜視図である。図４は伐採材垣の構造に使用する実施形態の竹材の斜視図である。
【００１１】
本考案の伐採材垣の構造は、支柱１,１をコンクリートやブロックで形成した基礎台２に跨いで脚部１ａを取り付ける。例えば、ボルトによって固着する。他方、両端に取付板４を備えた所定の長さの上枠３下面側に狭角部有するガイド突条５を長手方向に沿って備えている。
【００１２】
下枠６は両端に取付板７を有し、この取付板７には長孔７ａが穿ってある。また、この下枠６の上面側にはガイド部８が形成されている。このガイド部８の下側にゴム板、スプリングなどの弾性部材を配置してある。
【００１３】
この支柱１の側面の下端に下枠６の取付板７を当接し、長孔７ａにボルト９をねじ込んで仮固定する。次に、上枠３の取付板４を支柱１の側面に当接し、長孔４ａボルトを挿入して仮止する。この上枠３と下枠６との間に伐採材である竹材１０を配置し、ガイド突条６及びガイド部８に竹材１０の上端溝１１及び下端溝１２当て嵌合する。この上枠３と下枠６との間に竹材１０を挿入して配列することにより伐採材である竹垣を構成することができる。
【００１４】
上枠３および下枠６を支柱１に固着するときに取付板４及び取付板７の長孔が穿ってあるので、取り付け位置が調節することができる。
【００１５】
下枠６のガイド部８の下側に弾性部材を配置してあれば、上枠３と下枠６との間に伐採材を挿入するときに保持力が強化される。
図面に示す支柱１は四角形にして中を空洞にしたものであるが、これに限定されることなく、両側面に上枠３や下枠６の取付板が固着できるようになっていることが必要である。
【００１６】
使用する潅木や竹材は一般的に放置されている庭の潅木や竹薮から伐採して取り出し、所定の長さに裁断し、上端側は節部の近傍を切断する。上部、例えば竹材の場合は節部によって中に水や埃が入り込まないようにするとよい。
上枠３のガイド突条５は竹材１０の上端の溝に嵌合する形状であればよく、竹材１０はガイド突条５とガイド部８とによって案内されて上枠３と下枠６との間に配置される。
【図面の簡単な説明】
【００１７】
【図１】本考案の伐採材垣の構造の一部支柱を取り外した状態を示す正面図である。
【図２】本考案の伐採材垣の構造に使用する上枠の斜視図である。
【図３】本考案の伐採材垣の構造に使用する下枠の斜視図である。
【図４】本考案の伐採材垣の構造に使用する実施形態の竹材の斜視図である。
【符号の説明】
【００１８】
１      支柱
２      基礎台  
３      上枠
４      取付板
５      ガイド突条
６      下枠
７      取付板
８      ガイド部
９      ボルト  
１０    竹材
１１    上端溝
１２    下端溝
【図１】
0003108519.tif 000003
【図２】
0003108519.tif 000004
【図３】
0003108519.tif 000005
【図４】
0003108519.tif 000006